(57)【要約】      （修正有）【課題】スイングプラグの栓刃に耐トラッキングカバーを備えたものを提供する。【解決手段】スイングプラグであって、コード挿通部とスイング用凹部１ｂとを形成したプラグ外郭１と、スイング用凹部に装着した略コ字状のプラグ本体２と、プラグ本体の底面を貫通させると共に基端を電源コードＣの先端と夫々カシメ止めした一対の端子金具と、一対の端子金具に枢動軸を介装して基端辺を枢動可能に軸着した栓刃５と、栓刃の間に装着した先端に平坦面を形成した回動ホルダー６と、回動ホルダーの平坦面より突出させて栓刃の根元辺の外周に捲着すると共に基端を回動ホルダーに係止させた耐トラッキングカバー７と、を備えたものである。【選択図】図１
0003100885.tif 000002
【実用新案登録請求の範囲】
【請求項１】
基端に電源コードを挿通し先端に一対の栓刃を枢動可能に突設させたスイングプラグであって、基端にコード挿通部と先端にコ字状に切り欠いたスイング用凹部とを形成したプラグ外郭と、該プラグ外郭のスイング用凹部に装着した略コ字状のプラグ本体と、該プラグ本体の底面を貫通させると共に基端を電源コードの先端と夫々カシメ止めした一対の端子金具と、該一対の端子金具の先端辺に枢動軸を夫々介装して基端辺を枢動可能に軸着した夫々の栓刃と、該夫々の栓刃の間に装着した先端に平坦面を形成した回動ホルダーと、該回動ホルダーの平坦面より突出させて夫々の栓刃の根元辺の外周に捲着すると共に夫々の基端を回動ホルダーに係止させた耐トラッキングカバーと、を備えたことを特徴とするスイングプラグ。
【考案の詳細な説明】
【技術分野】
【０００１】
本考案は電源コンセントやテーブルタップ等に差し込んで電気機器の電源を得るスイングプラグに関するものであり、更に詳細には、プラグ本体から突設させた一対の栓刃がスイングすると共に、栓刃の根元辺に耐トラッキングカバーを捲着させたスイングプラグに関するものである。
【背景技術】
【０００２】
従来、この種の耐トラッキングカバーを備えた差し込みプラグやスイングする差し込みプラグは夫々開発されているが、スイングする差し込みプラグは複雑な構造となるので、スイングプラグの栓刃に耐トラッキングカバーを備えたものは無かった。
【０００３】
例えば、絶縁材料にによって形成されたプラグ本体と、このプラグ本体の内部に基端部が支持された一対の接続端子部材と、これら接続端子部材のプラグ本体から突出した部分の根元部分に設けられ間隔充填部材とを備えたもの（特許文献１参照）や、絶縁材料にによって形成されたプラグ本体と、このプラグ本体の当接面に形成された熱硬化性樹脂と、プラグ本体の内部に基端部が支持された一対の接続端子部材と、これらの接続端子部材のプラグ本体から突出した部分の根元部分に設けられる間隙充填部と、電気機器に接続された電源コードと、カシメ部を備えているもの（特許文献２参照）や、絶縁材料によって形成されたプラグ本体と、プラグ本体に対して、基端部がその内部に支持されるとともに他端部が外方へと露呈する根元部分の部位に亘る表面に、絶縁材料を一体に被覆することにより間隙充填部が形成された少なくとも一対の接続端子とを備えたもの（特許文献３参照）等が開示されている。
【特許文献１】特開平８−２３６１８９号公報（第２頁）
【特許文献２】特開平９−１９９２１２号公報（第２頁）
【特許文献３】特開平９−２７４９５９号公報（第２頁）
【考案の開示】
【考案が解決しようとする課題】
【０００４】
然し乍ら、前述の夫々開示されている、例えば、絶縁材料にによって形成されたプラグ本体と、このプラグ本体の内部に基端部が支持された一対の接続端子部材と、これら接続端子部材のプラグ本体から突出した部分の根元部分に設けられ間隔充填部材とを備えたものでは、間隔充填部材が耐トラッキング部材であるが、プラグ本体に一対の接続端子部材が支持された一般的な差し込みプラグに実施されているものである。
【０００５】
更に、絶縁材料によって形成されたプラグ本体と、このプラグ本体の当接面に形成された熱硬化性樹脂と、プラグ本体の内部に基端部が支持された一対の接続端子部材と、これらの接続端子部材のプラグ本体から突出した部分の根元部分に設けられる間隙充填部と、電気機器に接続された電源コードと、カシメ部を備えているものでは、間隙充填部が耐トラッキング部材であるが、間隙充填部を備える間隙充填手段はプラグ本体と同一絶縁材料で形成されおり、プラグ本体に一対の接続端子部材が支持された一般的な差し込みプラグに実施されているものである。
【０００６】
更には、絶縁材料によって形成されたプラグ本体と、プラグ本体に対して、基端部がその内部に支持されるとともに他端部が外方へと露呈する根元部分の部位に亘る表面に、絶縁材料を一体に被覆することにより間隙充填部が形成された少なくとも一対の接続端子とを備えたものでも、間隙充填部が耐トラッキング部材であるが、一対の接続端子の根元部分に絶縁材料を一体に被覆させて、一対の接続端子の基端部にコードを接続し、一体的に形成しているもので、一般的な差し込みプラグに実施されているものである。
【課題を解決するための手段】
【０００７】
本考案は、前述の課題に鑑み、鋭意研鑽の結果、基端に電源コードを挿通し先端に一対の栓刃を枢動可能に突設させたスイングプラグであって、基端にコード挿通部を先端にコ字状に切り欠いたスイング用凹部とを形成したプラグ外郭と、プラグ外郭のスイング用凹部に装着した略コ字状のプラグ本体と、プラグ本体の底面を貫通させると共に基端を電源コードの先端とカシメ止めした一対の端子金具と、一対の端子金具の先端辺に枢動軸を介装して基端辺を枢動可能に軸着した栓刃と、栓刃の間に装着した先端に平坦面を形成した回動ホルダーと、回動ホルダーの平坦面より突出させて栓刃の根元辺の外周に捲着すると共に基端を回動ホルダーに係止させた耐トラッキングカバーと、を備えたものである。
【考案の効果】
【０００８】
本考案のスイングプラグは、プラグ本体の底面を貫通させた一対の端子金具に枢動軸を介装して枢動可能に軸着した一対の栓刃を備え、夫々の栓刃の回動ホルダーの平坦面より突出させて栓刃の根元辺に耐トラッキングカバーを捲着させたことにより、コンセントや差し込みプラグに溜まった埃に湿気が加わり、差し込みプラグの対峙した一対の栓刃やコンセントに内装されている一対の刃受の間で放電が繰り返し発生し、これにより絶縁用のプラグ部材やコンセント部材が徐々に劣化し、劣化した状態で抵抗熱が発生して発火するトラッキング現象をスイングプラグにおいて防止できるものであり、画期的で実用性の高い考案である。
【考案を実施するための最良の形態】
【０００９】
本考案は電源コンセントやテーブルタップ等に差し込んで電気機器の電源を得るスイングプラグに関するものであり、更に詳細には、プラグ本体から突設させた一対の栓刃がスイングすると共に、栓刃の根元辺に耐トラッキングカバーを捲着させたスイングプラグに関するものであり、基端に電源コードＣを挿通し先端に一対の栓刃５を枢動可能に突設させたスイングプラグであって、基端にコード挿通部１ａと先端にコ字状に切り欠いたスイング用凹部１ｂとを形成したプラグ外郭１と、該プラグ外郭１のスイング用凹部１ｂに装着した略コ字状のプラグ本体２と、該プラグ本体２の底面を貫通させると共に基端を電源コードＣの先端と夫々カシメ止めした一対の端子金具３と、該一対の端子金具３の先端辺に枢動軸４を夫々介装して基端辺を枢動可能に軸着した夫々の栓刃５と、該夫々の栓刃５の間に装着した先端に平坦面６ａを形成した回動ホルダー６と、該回動ホルダー６の平坦面６ａより突出させて夫々の栓刃５の根元辺の外周に捲着すると共に夫々の基端を回動ホルダー６に係止させた耐トラッキングカバー７と、を備えたものである。
【実施例】
【００１０】
以下、本考案のスイングプラグの実施の形態を図面によって具体的に説明するものであり、図１は本考案のスイングプラグの実施例を説明するための正面図であり、図２は本考案のスイングプラグの実施例の要部を断面とした側面図であり、図３は本考案のスイングプラグの実施例の要部を露出させた断面図であり、図４は本考案のスイングプラグの実施例の耐トラッキングカバーの側面図と平面図である。
【００１１】
即ち、本考案のスイングプラグは、図１に図示する如く、基端には電子電気機器から延設された電源コードＣを挿通させており、先端には略１８０度の回動が可能な一対の栓刃５を突設させているものである。
【００１２】
そして、プラグ外郭１は熱硬化性樹脂で軟質のＰＶＣ（ポリ塩化ビニル）等で形成したもので、基端には電源コードＣを挿通させるコード挿通部１ａを形成させ、コード挿通部１ａの外周の基端辺にはスイングプラグを引き抜く時のすべり止めの多数の凹凸を周設すると共に、先端には後述する一対の栓刃５を回動させるためにコ字状に切り欠いたスイング用凹部１ｂとを形成しているものである。
【００１３】
次いで、プラグ本体２はスイング用凹部１ｂの内側面に配設した略コ字状のものであり、両側部はプラグ外郭１のスイング用凹部１ｂの内側面に嵌入装着させ、内側には後述する一対の栓刃５を備えた回動ホルダー６を回動可能に装着するもので、耐熱性を有した硬質のＳＰＳ樹脂等で形成されているものである。
【００１４】
更に、一対の端子金具３は、図２に図示する如く、板状のもので夫々の先端側をプラグ本体２の底面を貫通させスイング用凹部１ｂに突出させると共に、基端を電源コードＣの先端と夫々カシメ止めしているものである。
【００１５】
更には、一対の栓刃５は夫々の基端辺を一対の端子金具３の夫々の先端辺と枢動軸４を夫々介装して枢動可能に軸着しているものであり、実施例では夫々の枢動軸４の外側には皿バネを挿通させているものである。
【００１６】
そして、回動ホルダー６は夫々の栓刃５の間に装着するもので、一対の栓刃５と共に回動可能とするものであり、先端は平坦面６ａに形成させてコンセント等の当接面とすると共に、基端は回動可能とするために半円柱状に形成し、両側面には一対の栓刃５の基端辺と一対の端子金具３の先端辺を軸着した枢動軸４と栓刃５の基端辺の内側面を嵌入させる凹部６ｂを形成しているものである。
【００１７】
次いで、耐トラッキングカバー７はナイロン等のシート状のもので形成し、図４に図示する如く、四角筒状の夫々の栓刃５の根元辺の外周に回動ホルダー６の平坦面６ａより突出させて捲着する捲着部７ａと、該捲着部７ａから延設させた回動ホルダー６に係止させる係止部７ｂから成るものである。
【００１８】
次に、本考案のスイングプラグの組立ては、一対の栓刃５の基端辺と一対の端子金具３の先端辺を夫々枢動軸４により枢動自在に軸着すると共に、一対の端子金具３の基端を電源コードＣの先端と夫々カシメ止めするものである。
【００１９】
そして、一対の栓刃５を先端から耐トラッキングカバー７の四角筒状の捲着部７ａに夫々挿通させるものであり、この時、捲着部７ａに延設させた係止部７ｂは内側に位置させるものである。
【００２０】
次いで、回動ホルダー６の平坦面６ａを先端側にして両側面に形成した凹部６ｂへ夫々の栓刃５と枢動軸４の端部を嵌入させると共に、耐トラッキングカバー７の係止部７ｂも回動ホルダー６に係止させるもので、耐トラッキングカバー７の捲着部７ａは一対の栓刃５の根元辺に捲着され回動ホルダー６の平坦面６ａより突出して係止されるものであり、回動ホルダー６と一対の栓刃５とは枢動軸４を中心として略１８０度回動するものである。
【００２１】
次ぎに、プラグ本体２は縦方向に二分割して両側から一対の端子金具３を挟むように合着させているものであり、プラグ本体２の底部には一対の端子金具３を貫通させる貫通孔を予め形成しているものである。
【００２２】
更に、前述のように組立てたプラグ本体２の外周と一対の端子金具３の基端側を電源コードＣの先端辺共にプラグ外郭１で被覆するものであり、プラグ外郭１は縦方向に二分割させ、基端から電源コードＣを延設させて熱用着、接着等の手段で合着させたものである。
【産業上の利用可能性】
【００２３】
本考案のスイングプラグは、コンセント、テーブルタップ等の刃受に栓刃を挿通させて電気的接続をするため使用するもので、一対の栓刃に耐トラッキングカバーを備えており、トラッキングによる発火を防止するものである。
【図面の簡単な説明】
【００２４】
【図１】図１は本考案のスイングプラグの実施例を説明するための正面図である。
【図２】図２は本考案のスイングプラグの実施例の要部を断面とした側面図である。
【図３】図３は本考案のスイングプラグの実施例の要部を露出させた断面図である。
【図４】図４は本考案のスイングプラグの実施例の耐トラッキングカバーの側面図と平面図である。
【符号の説明】
【００２５】
Ｃ      電源コード
１      プラグ外郭
１ａ    コード挿通部
１ｂ    スイング用凹部
２      プラグ本体
３      端子金具
４      枢動軸
５      栓刃
６      回動ホルダー
６ａ    平坦面
６ｂ    凹部
７      耐トラッキングカバー
７ａ    捲着部
７ｂ    係止部
【図１】
0003100885.tif 000003
【図２】
0003100885.tif 000004
【図３】
0003100885.tif 000005
【図４】
0003100885.tif 000006